(57)【要約】【課題】展開された箱体の幅寸法を短縮することができ、箱体のコストを低減することができるとともに、抜止片が過剰に嵌入されるのを防ぐことができる箱体を提供する。【解決手段】外蓋５の先端縁５ａに、複数箇所にて欠除された欠除部５１を設け、該欠除部５１間に封緘片６及び封緘片６を基部から折るための第３折目１０を配し、封緘片６が嵌入される第１長孔３１を、箱本体１の第１側板１２に第１折目２を介して連なる内蓋３の第１折目２から離隔した位置に設け、その基部が第１側板１２にあり、該基部から内蓋３に亘って略Ｕ字形をなす抜止片８を切目７により設け、抜止片８が嵌入される第２長孔２２を封緘片６の基部に設け、抜止片８が第２長孔２２へ嵌入される方向へ移動するのを規制する規制部２４を切目７に設けた。【選択図】図１
2010023893.tif 000002
【特許請求の範囲】
【請求項１】
平面視四角形をなす箱本体と、該箱本体の対向する２枚の第１側板の一方に第１折目を介して連なり、該第１折目と平行的に第１長孔を開設してある内蓋と、第１側板の他方に第２折目を介して連なる外蓋とを備え、その基部が前記一方の第１側板にあり、該基部から前記内蓋に亘って抜止片を切目により設けてあり、前記第１長孔に嵌入される封緘片を第３折目を介して前記外蓋に設けてあり、前記抜止片が嵌入される第２長孔を前記封緘片の基部に設けてある箱体において、前記外蓋は、先端縁の２箇所にて欠除された欠除部を有し、該欠除部間に前記封緘片及び第３折目を配してあり、前記第１長孔は前記第１折目から離隔して配してあり、前記抜止片が前記第２長孔へ嵌入される方向へ移動するのを規制する規制部を前記切目に設けてあることを特徴とする箱体。
【請求項２】
前記抜止片は、基部及び先端部間の両側縁が平行的であり、前記切目は、平行的に対向する二つの対向縁部を有し、前記規制部は、前記対向縁部の前記内蓋側に配してある請求項１記載の箱体。
【請求項３】
前記規制部は、前記対向縁部の長手方向と交差して配してある請求項２記載の箱体。
【請求項４】
前記対向縁部は、前記内蓋側の間隔を第１側板側の間隔よりも狭くしてあり、該対向縁部の内蓋側が第１側板側と連なる箇所に前記規制部を配してある請求項２又は３記載の箱体。
【請求項５】
前記外蓋は、前記第２長孔に連なり、前記抜止片を前記第２長孔へ案内する案内凸部を有する請求項１から４のいずれか一つに記載の箱体。
【請求項６】
前記案内凸部は、前記第２長孔の両端間で湾曲している請求項５記載の箱体。
【請求項７】
前記封緘片は、前記先端縁及び第２折目間に配してある請求項１記載の箱体。
【発明の詳細な説明】
【技術分野】
【０００１】
本発明は薄型テレビジョンなどの被収容物を収容するための段ボール箱等の箱体に関する。
【背景技術】
【０００２】
被収容物を収容して梱包するための段ボール紙製の箱体は特許文献１に記載されている。図１２は特許文献１に記載された箱体の構成を示す展開図、図１３は特許文献１に記載された箱体の構成を示す斜視図である。この箱体は、平面視四角形をなし、底部を有する箱本体１００と、該箱本体１００の対向する２枚の第１側板１０１，１０２の一方に第１折目１０３を介して連なる内蓋１０４と、他方の第１側板１０２に第２折目１０５を介して連なる外蓋１０６と、該外蓋１０６の先端縁に連なる封緘片１０７と、その基部が一方の第１側板１０１にあり、該基部から内蓋１０４に亘って略Ｕ字形をなす抜止片１０８とを備え、封緘片１０７が嵌入される第１長孔１０９を内蓋１０４に設けてあり、抜止片１０８が嵌入される第２長孔１１０を封緘片１０７の基部に設けてある。また、封緘片１０７は外蓋１０６の先端縁から外方へ突出しており、第１長孔１０９は第１折目１０３に沿って開設されている。
【０００３】
このように構成された箱体は、箱本体１００内へ被収容物を収容した後、内蓋１０４を第１折目１０３から折り、さらに外蓋１０６を第２折目１０５から折り、封緘片１０７を第１長孔１０９に嵌入した後、抜止片１０８を第２長孔１１０に嵌入することにより梱包される。
【０００４】
また、箱体は帯状をなす段ボール紙を所定長さの所定形状に打抜き成形されるとともに、所定個所に複数の折目、長孔及び切目が設けられ、折目夫々から折ることにより箱体が組立てられる。また、帯状の段ボール紙は５０mm単位で定尺幅が変わり、定尺幅に対応した価格で販売される。
【０００５】
図１４は薄型テレビジョンが梱包される従来の段ボール紙製の箱体の構成を示す展開図、図１５は展開された従来の箱体の周方向となる両端を結合する際の説明図、図１６は従来の箱体に薄型テレビジョンが梱包される前の状況を示す説明図、図１７は従来の箱体の蓋部分を拡大した斜視図、図１８は従来の箱体の外蓋が封緘される前の状況を示す説明図、図１９は従来の箱体に薄型テレビジョンが梱包された状態を示す斜視図である。この箱体は、図１２，図１３に示す特許文献１記載の箱体と基本的に同様に構成されているため、同様の部品については同じ符号を付する。箱体が梱包する薄型テレビジョンは高さよりも横方向長さが長く、比較的大型であるため、図１４に示すように帯状をなす段ボール紙の幅方向一方側に内蓋１０４、外蓋１０６及び封緘片１０７が配される。
【特許文献１】実開昭６０−７８７１６号公報
【発明の開示】
【発明が解決しようとする課題】
【０００６】
ところが、特許文献１記載の箱体と同様に構成された従来の箱体は、封緘片１０７が外蓋１０６の先端縁から外方へ突出しており、第１折目１０３に沿って内蓋１０４に開設されている第１長孔１０９に封緘片１０７が嵌入されるように構成されているため、定尺幅内に封緘片１０７を配することができる帯状の段ボール紙を打抜き成形する必要があり、段ボール紙のコスト、ひいては箱体のコストが高くなり、改善策が要望されていた。また、封緘片１０７が外蓋１０６の先端縁から外方へ突出しているため、展開された箱体の周方向となる両端を接着剤等で結合するとき、展開された箱体の幅方向両端の位置決めが行い難く、図１５に示すように結合端が位置ずれし易く、変形した箱体になり易いという問題もあった。
【０００７】
本発明は斯かる事情に鑑みてなされたものであり、主たる目的は外蓋に、先端縁の複数箇所にて欠除された欠除部を設け、該欠除部間に、封緘片及び封緘片を基部から折るための第３折目を配し、内蓋に、封緘片が嵌入される第１長孔を第１折目から離隔して設けることにより、封緘片が外蓋の先端縁よりも突出するのをなくし、展開された箱体の幅寸法を短縮することができ、箱体の材料費、ひいては箱体のコストを低減することができ、さらに、抜止片が第２長孔へ嵌入される方向へ移動するのを規制する規制部を、抜止片を形成するための切目に設けることにより、抜止片が過剰に嵌入されるのを防ぐことができる箱体を提供することにあり、また、他の目的は展開された箱体の周方向となる両端を接着剤等で結合するとき、展開された箱体の幅方向両端を位置決めすることができる箱体を提供することにある。
【課題を解決するための手段】
【０００８】
本発明に係る箱体は、平面視四角形をなす箱本体と、該箱本体の対向する２枚の第１側板の一方に第１折目を介して連なり、該第１折目と平行的に第１長孔を開設してある内蓋と、第１側板の他方に第２折目を介して連なる外蓋とを備え、その基部が前記一方の第１側板にあり、該基部から前記内蓋に亘って抜止片を切目により設けてあり、前記第１長孔に嵌入される封緘片を第３折目を介して前記外蓋に設けてあり、前記抜止片が嵌入される第２長孔を前記封緘片の基部に設けてある箱体において、前記外蓋は、先端縁の２箇所にて欠除された欠除部を有し、該欠除部間に前記封緘片及び第３折目を配してあり、前記第１長孔は前記第１折目から離隔して配してあり、前記抜止片が前記第２長孔へ嵌入される方向へ移動するのを規制する規制部を前記切目に設けてあることを特徴とする。
【０００９】
この発明にあっては、外蓋の先端縁に複数の欠除部があり、欠除部間に封緘片及び封緘片を基部から折るための第３折目を配してあるため、封緘片が外蓋の先端縁よりも突出するのをなくすることが可能であり、展開された箱体の幅寸法を短縮することができ、しかも、抜止片が第２長孔へ嵌入される方向へ移動するのを規制部により規制することができるため、抜止片が過剰に嵌入されるのを防ぐことができ、抜止片を第２孔から容易に抜出すことができ、開梱作業性を高めることができるとともに、抜止片周りの閉塞状態を保つことができる。
【００１０】
また、本発明に係る箱体は、前記抜止片は、基部及び先端部間の両側縁が平行的であり、前記切目は、平行的に対向する二つの対向縁部を有し、前記規制部は、前記対向縁部の前記内蓋側に配してある構成とするのが好ましい。
この発明にあっては、第１折目から横方向へ折曲げられる内蓋に規制部があるため、箱体の厚さを部分的に厚くすることなく、既存の内蓋の表裏面間に規制部を配することができ、規制部によるコスト増をなくし得る。
【００１１】
また、本発明に係る箱体は、前記規制部は、前記対向縁部の長手方向と交差して配してある構成とするのが好ましい。
この発明にあっては、切目の途中に直角状の角部を生じさせることなく規制部を配することができるため、規制部の捲れがなく、規制部での規制機能を保つことができる。
【００１２】
また、本発明に係る箱体は、前記対向縁部は、前記内蓋側の間隔を第１側板側の間隔よりも狭くしてあり、該対向縁部の内蓋側が第１側板側と連なる箇所に前記規制部を配してある構成とするのが好ましい。
この発明にあっては、規制部が第１折目に連なるため、規制部の剛性を高めることができ、抜止片の規制状態を維持し易い。
【００１３】
また、本発明に係る箱体は、前記外蓋は、前記第２長孔に連なり、前記抜止片を前記第２長孔へ案内する案内凸部を有する構成とするのが好ましい。
この発明にあっては、抜止片を第２長孔に嵌入する際、抜止片の先部を案内凸部が案内するため、抜止片の第２長孔への嵌入が行い易く、抜止片の嵌入作業性、ひいては梱包作業性を高めることができる。
【００１４】
また、本発明に係る箱体は、前記案内凸部は、前記第２長孔の両端間で湾曲している構成とするのが好ましい。
この発明にあっては、第２長孔の両端間で案内凸部が湾曲しており、案内凸部による角部がないため、段積みされた上側の箱体が横方向へ摺動する際に案内凸部が捲れるのを防ぐことができ、案内凸部の形態を保つことができる。
【００１５】
また、本発明に係る箱体は、前記封緘片は、前記先端縁及び第２折目間に配してある構成とするのが好ましい。
この発明にあっては、外蓋の先端縁よりも外部へ封緘片が突出していないため、展開された箱体の周方向となる両端を接着剤等で結合するとき、展開された箱体の幅方向両端の位置決めを容易に行うことができ、前記周方向となる両端を位置ずれさせることなく正確に結合することができ、位置ずれによる箱体の不良率を低減できる。
【発明の効果】
【００１６】
本発明によれば、外蓋の先端縁に複数の欠除部があり、欠除部間に封緘片及び封緘片を基部から折るための第３折目を配してあるため、外蓋の先端縁よりも外部へ封緘片が突出するのをなくすることが可能であり、展開された箱体の幅寸法を短縮することができ、しかも、抜止片が第２長孔へ嵌入される方向へ移動するのを規制部により規制することができるため、抜止片が過剰に嵌入されるのを防ぐことができ、抜止片を第２孔から容易に抜出すことができ、開梱作業性を高めることができるとともに、抜止片周りの閉塞状態を保つことができる。
【発明を実施するための最良の形態】
【００１７】
以下本発明をその実施の形態を示す図面に基づいて詳述する。
図１は本発明に係る箱体の構成を示す展開図、図２は箱体の構成を示す斜視図、図３は箱体の蓋部分を拡大した斜視図、図４は抜止片が嵌入された状態を示す蓋部分の拡大斜視図、図５は外蓋が封緘される前の状態を示す斜視図、図６は外蓋が封緘されている状態の拡大断面図である。
【００１８】
図２に示した箱体は平面視四角形をなす段ボール箱であり、図１の展開図に示すように、平面視四角形をなし、四つの底片１１を有する段ボール紙製の箱本体１と、該箱本体１の一方向に対向する２枚の第１側板１２，１３の一方の上縁に第１折目２を介して連なる内蓋３と、他方の第１側板１３の上縁に第２折目４を介して連なる外蓋５と、該外蓋５の先端部に配されている封緘片６と、その基部が第１側板１２にあり、該基部から内蓋３に亘って略Ｕ字形をなし、切目７により形成されている抜止片８と、箱本体１の他方向に対向する２枚の第２側板１４，１４の上縁に第４折目２０，２０を介して連なる二つの天蓋９，９とを備える。
【００１９】
箱本体１の第１側板１２，１３及び第２側板１４，１４は図１に示すように交互に配され、折目を介して互いに連なっており、一方の第２側板１４の周方向となる一縁に折目を介して連なる結合片１５が他方の第１側板１３の周方向となる一縁部に結合されることにより略直方体に形成される。
【００２０】
第１側板１２，１３の横方向長さは、第２側板１４，１４の横方向長さの約２．５倍に形成され、これに対応して第１折目２及び第２折目４の長さは、第４折目２０，２０の長さの約２．５倍、内蓋３及び外蓋５の長さは、第２側板１４の長さの約２．５倍に夫々形成されており、組立てられた際、横長の略直方体となる。
【００２１】
内蓋３及び外蓋５の幅寸法は、第２側板１４，１４の横方向長さとほぼ等しい寸法に形成されており、横長の略直方体に組立てられた際、内蓋３及び外蓋５夫々が箱本体１の天部を閉じ、箱体の剛性を高めるように構成されている。
【００２２】
外蓋５の先端縁５ａには、離隔した２箇所に略Ｖ字形をなす欠除部５１，５１を配してあり、該欠除部５１，５１間に、封緘片６及び封緘片６を基部から折るための第３折目１０を配してある。
【００２３】
欠除部５１，５１の深さ、及び封緘片６の高さは外蓋５の幅寸法の約１／６であり、封緘片６の基部に、第３折目１０と、該第３折目１０に沿う第２長孔２２、及び第２長孔２２に連なり、抜止片８を第２長孔２２へ案内する案内凸部２３とが設けられている。封緘片６は先端縁５ａの中央部に配され、第２長孔２２は封緘片６の長手方向中央部に配されている。第２長孔２２は抜止片８の幅寸法に対応した長さに形成されている。
【００２４】
案内凸部２３は、第２長孔２２に対応する箇所の第３折目１０をなくし、外蓋５から第２長孔２２に突出する凸片５ｂを設けることにより構成されており、図３に示すように封緘片６が第３折目１０から折られたとき、凸片５ｂが、第２長孔２２から外側に突出する案内凸部２３となり、第２長孔２２に嵌入される抜止片８の先部を第２長孔２２に案内するようになっている。また、案内凸部２３は第２長孔２２の長辺と平行的に配されている。
【００２５】
内蓋３の第１折目２に連なる基部で長手方向の中央部には、封緘片６が嵌入される第１長孔３１が設けられている。第１長孔３１は、封緘片６の高さ相当分第１折目２から離隔した位置に、第１折目２と平行的に配してある。また、第１長孔３１は、封緘片６の長さに対応した長さで、封緘片６の厚さよりも若干広幅に形成されている。
【００２６】
第１側板１２の長手方向中央部で、第１折目２から離隔した位置には第５折目２１が第１折目２と平行的に配してあり、該第５折目２１から内蓋３の基部に亘って抜止片８が切目７により設けられている。
【００２７】
切目７は抜止片８に対応して略Ｕ字形をなし、抜止片８の基部及び先端部間の両側縁と対向する二つの対向縁部７ａ，７ａが平行的であり、対向縁部７ａ，７ａの内蓋側が第１側板側と連なる箇所に、抜止片８が第２長孔２２へ嵌入される方向へ移動するのを規制する規制部２４，２４を設けてある。
【００２８】
二つの対向縁部７ａ，７ａは、内蓋側の間隔を第１側板側の間隔よりも狭くしてあり、狭間隔の内蓋側が広間隔の第１側板側と連なる箇所に、第１折目２と連なる規制部２４，２４を、対向縁部７ａ，７ａの長手方向と交差して配してある。
【００２９】
抜止片８は、第５折目２１の離隔距離に第１長孔３１の離隔距離を加えた長さよりも長く形成されており、長手方向の途中で、第１折目２と対応する位置に、第６折目８１が第１折目２と平行的に設けられ、対向縁部７ａ，７ａと対向する両側縁に、規制部２４，２４に当接する当接部８ａ，８ａが設けられている。
【００３０】
当接部８ａ，８ａは、切目７に対応して抜止片８の先端部を基部よりも狭幅とすることにより、狭幅先端部が広幅基部と連なる箇所に対向縁部７ａ，７ａと交差して配してある。
【００３１】
箱本体１の四つの底片１１の二つは第１側板１２，１３の下縁に折目により連なり、残り二つは第２側板１４，１４の下縁に折目により連なっている。
【００３２】
以上のように構成された箱体は、底片１１、第１側板１３及び外蓋５の幅寸法が加算された幅寸法Ｈ１に対応する定尺幅の帯状の段ボール紙が使用され、該帯状の段ボール紙が、二つの第１側板１２，１３、二つの第２側板１４，１４及び結合片１５の長さが加算された長手寸法Ｈ２に裁断され、第１折目２等の複数の折目、外蓋５等の複数の部片、第１長孔３１、切目７等が成形される（図１参照）。この際、外蓋５の先端部に設けられる封緘片６は、外蓋５の先端縁５ａから突出させることなく、先端縁５ａで窪む欠除部５１，５１間で、且つ先端縁５ａと第２折目４との間に配してあるため、封緘片６の高さが加算されない幅寸法Ｈ１に対応した帯状の段ボール紙を使用することができる。因って、封緘片６の高さが加算された寸法に対応した帯状の段ボール紙を使用する従来の箱体に比べて１ランク低い帯状の段ボール紙により、封緘片６を有する箱体を形成することができ、箱体の材料費を低減でき、箱体のコストを低減できる。
【００３３】
図７は展開された箱体の周方向となる両端を結合する際の説明図である。図１のように展開された箱体は、封緘片６が外蓋５の先端縁５ａから突出していないため、展開された箱体の周方向となる両端を結合片１５で結合するとき、展開された箱体の幅方向両側に位置決め部材を平行に配することができ、展開された箱体を両側の位置決め部材に沿って正確に二つ折りすることができ（図７参照）、結合片１５を第１側板１３の一縁部に正確に結合することができる。
【００３４】
周方向となる両端が結合片１５により結合された箱体は、非使用時に扁平につぶされており、使用時には箱本体１を略直方体に引き起こした状態で四つの底片１１を折目から折り、外側の底片１１が例えばステープル止めにより内側の底片１１に固定され、蓋側（天側）が開放された箱本体１に組立てられる。
【００３５】
図８は薄型テレビジョンＡが梱包される前の状況を示す斜視図、図９は抜止片が過剰に嵌入された状態を示す説明図、図１０は薄型テレビジョンが梱包された状態を示す斜視図である。組立てられた箱本体１に薄型テレビジョンＡが収容された後、内蓋３が第１折目２から折られ、外蓋５が第２折目４から折られ、外蓋５の先端部に設けられている封緘片６が内蓋３の第１長孔３１に嵌入され（図３参照）、抜止片８が第２長孔２２に横方向から嵌入され（図４参照）、梱包される。
【００３６】
この際、抜止片８の第５折目２１は第１折目２に関して第１側板１２側へ離隔しているため、抜止片８が第２長孔２２に嵌入されるとき、抜止片８は第５折目２１から折られ、抜止片８の先端部が横方向から第２長孔２２に嵌入され、抜止片８の先端部は横方向に配される。また、第１長孔３１は第１折目２に関して内蓋３側へ離隔し、第１長孔３１に嵌入された封緘片６と抜止片８の基部との間に空間があるため、規制部２４，２４がない構成にあっては、図９に示すように抜止片８が第２長孔２２に過剰に嵌入されることがある。しかし、切目７の途中に規制部２４，２４が設けられているため、抜止片８が横方向から第２長孔２２に嵌入されたとき、抜止片８の当接部８ａ，８ａが規制部２４，２４に当接し、過剰な嵌入を規制することができ、抜止片８周りの閉塞状態を保つことがでる。因って、梱包した箱体の品位を保つことができ、箱体の開梱時には、過剰に嵌入されていない抜止片８の第６折目８１部分を容易に摘むことができ、抜止片８を第２長孔２２から迅速に抜出すことができ、開梱作業性を高めることができる。
【００３７】
また、第２長孔２２に嵌入された抜止片８の先端部は図６に示すように外蓋５に沿って横方向に配されるため、箱体に収容する薄型テレビジョンと外蓋５との間の距離が比較的短い場合又は薄型テレビジョンに外力が加わるのを緩衝する緩衝体と外蓋５との間の距離が比較的短い場合においても抜止片８ｂの先端部が薄型テレビジョン又は緩衝体に当接して抜止片８を確実に嵌入することができなくなる事態をなくすることができ、抜止片８を第２長孔２２に確実に嵌入することができる。
【００３８】
尚、以上説明した実施の形態では切目７の二つの対向縁部７ａ，７ａに規制部２４，２４を設けたが、その他、規制部２４は二つの対向縁部７ａ，７ａの一方にだけ設けてもよい。
【００３９】
また、以上説明した実施の形態では、案内凸部２３を、第２長孔２２の長辺と平行的に配する構成としたが、その他、案内凸部２３は第２長孔２２の両端間で湾曲する構成としてもよい。図１１は案内凸部２３の他の構成を示す説明図である。この案内凸部２３は、外蓋５から第２長孔２２に突出する凸片５ｂが円弧状に湾曲しており（図１１の(a) 参照）、図１１の(b) に示すように封緘片６が第５折目２１から折られたとき、凸片５ｂが、第２長孔２２から外側へ円弧状に突出する案内凸部２３となる。この実施の形態にあっては、案内凸部２３による角部がないため、段積みされた上側の箱体が横方向へ摺動する際に案内凸部２３が捲れるのを防ぐことができ、案内凸部２３の形態を保つことができる。
【図面の簡単な説明】
【００４０】
【図１】本発明に係る箱体の構成を示す展開図である。
【図２】本発明に係る箱体の構成を示す斜視図である。
【図３】本発明に係る箱体の蓋部分を拡大した斜視図である。
【図４】本発明に係る箱体の抜止片が嵌入された状態を示す蓋部分の拡大斜視図である。
【図５】本発明に係る箱体の外蓋が封緘される前の状態を示す斜視図である。
【図６】本発明に係る箱体の外蓋が封緘されている状態の拡大断面図である。
【図７】展開された箱体の周方向となる両端を結合する際の説明図である。
【図８】本発明に係る箱体に薄型テレビジョンが梱包される前の状況を示す斜視図である。
【図９】本発明に係る箱体の抜止片が過剰に嵌入された状態を示す説明図である。
【図１０】本発明に係る箱体に薄型テレビジョンが梱包された状態を示す斜視図である。
【図１１】本発明に係る箱体の案内凸部の他の構成を示す説明図である。
【図１２】特許文献１に記載された箱体の構成を示す展開図である。
【図１３】特許文献１に記載された箱体の構成を示す斜視図である。
【図１４】薄型テレビジョンが梱包される従来の段ボール紙製の箱体の構成を示す展開図である。
【図１５】展開された従来の箱体の周方向となる両端を結合する際の説明図である。
【図１６】従来の箱体に薄型テレビジョンが梱包される前の状況を示す説明図である。
【図１７】従来の箱体の蓋部分を拡大した斜視図である。
【図１８】従来の箱体の外蓋が封緘される前の状況を示す説明図である。
【図１９】従来の箱体に薄型テレビジョンが梱包された状態を示す斜視図である。
【符号の説明】
【００４１】
１    箱本体
１２，１３  第１側板
２    第１折目
３    内蓋
３１  第１長孔
４    第２折目
５    外蓋
５ａ  先端縁
５１  欠除部
６    封緘片
７    切目
７ａ  対向縁部
８    抜止片
１０  第３折目
２２  第２長孔
２３  案内凸部
２４  規制部
【図１】
2010023893.tif 000003
【図２】
2010023893.tif 000004
【図３】
2010023893.tif 000005
【図４】
2010023893.tif 000006
【図５】
2010023893.tif 000007
【図６】
2010023893.tif 000008
【図７】
2010023893.tif 000009
【図８】
2010023893.tif 000010
【図９】
2010023893.tif 000011
【図１０】
2010023893.tif 000012
【図１１】
2010023893.tif 000013
【図１２】
2010023893.tif 000014
【図１３】
2010023893.tif 000015
【図１４】
2010023893.tif 000016
【図１５】
2010023893.tif 000017
【図１６】
2010023893.tif 000018
【図１７】
2010023893.tif 000019
【図１８】
2010023893.tif 000020
【図１９】
2010023893.tif 000021